(57)【要約】【課題】映像信号として電流信号を書き込む表示装置で、走査方向に依存することなく、有効走査期間において最初に選択する行の画素で、良好な表示ができるようにする。【解決手段】各々の画素ＰＸが駆動回路と表示素子ＯＬＥＤとを含んだ表示装置において、各選択期間に映像信号線ＤＬを介して電流源ＣＳ１と駆動回路とを接続して駆動回路に映像信号を書き込む書込動作を行い、各非選択期間に駆動回路と画素電極とを接続して駆動電流を表示素子ＯＬＥＤに流す表示動作を行い、ブランキング期間に電流源ＣＳ２と映像信号線ＤＬとを接続して映像信号線ＤＬにプリチャージ信号を書き込むプリチャージ動作を行い、走査信号線ＳＬ１の走査方向が映像信号線ＤＬと電流源ＣＳ２との接続位置に近づく方向である場合には、走査方向が接続位置から遠ざかる方向である場合と比較して、プリチャージ信号をより大きくする。【選択図】      図３
2007114288.tif 000002
【特許請求の範囲】
【請求項１】
映像信号線と、
前記映像信号線と交差した複数の走査信号線と、
映像信号を出力する第１電流源と、
プリチャージ信号を出力する第２電流源と、
前記映像信号線と前記複数の走査信号線との交差部に対応して配列し、第１電源端子に接続されると共に入力信号に対応した大きさの駆動電流を出力する駆動回路と、画素電極と第２電源端子に接続された対向電極とそれらの間に介在した活性層とを備えた表示素子とを各々が含んだ複数の画素とを具備し、
各選択期間において、前記映像信号線を介して前記第１電流源と前記駆動回路とを接続して前記駆動回路に前記入力信号として前記映像信号を書き込む書込動作を行い、
各非選択期間において、前記駆動回路と前記画素電極とを接続して前記駆動電流を前記表示素子に流す表示動作を行い、
ブランキング期間において、前記第２電流源と前記映像信号線とを接続して前記映像信号線に前記プリチャージ信号を書き込むプリチャージ動作を行い、
前記複数の走査信号線の走査方向が前記映像信号線と前記第２電流源との接続位置に近づく方向である場合には、前記走査方向が前記接続位置から遠ざかる方向である場合と比較して、前記プリチャージ信号をより大きくすることを特徴とする表示装置。
【請求項２】
前記第２電流源の出力電流の大きさを変化させることにより前記プリチャージ信号の大きさを変化させることを特徴とする請求項１に記載の表示装置。
【請求項３】
前記第２電流源と前記映像信号線と接続する時間を変化させることにより前記プリチャージ信号の大きさを変化させることを特徴とする請求項１に記載の表示装置。
【請求項４】
リセット信号を出力する電圧源をさらに具備し、
前記ブランキング期間において、前記プリチャージ動作に先立ち、前記電圧源と前記映像信号線とを接続して前記映像信号線に前記リセット信号を書き込むリセット動作を行うことを特徴とする請求項１に記載の表示装置。
【請求項５】
映像信号線と、前記映像信号線と交差した複数の走査信号線と、映像信号を出力する第１電流源と、プリチャージ信号を出力する第２電流源と、前記映像信号線と前記複数の走査信号線との交差部に対応して配列し、第１電源端子に接続されると共に入力信号に対応した大きさの駆動電流を出力する駆動回路と、画素電極と第２電源端子に接続された対向電極とそれらの間に介在した活性層とを備えた表示素子とを各々が含んだ複数の画素とを具備した表示装置の駆動方法であって、
各選択期間において、前記映像信号線を介して前記第１電流源と前記駆動回路とを接続して前記駆動回路に前記入力信号として前記映像信号を書き込む書込動作を行い、
各非選択期間において、前記駆動回路と前記画素電極とを接続して前記駆動電流を前記表示素子に流す表示動作を行い、
ブランキング期間において、前記第２電流源と前記映像信号線とを接続して前記映像信号線に前記プリチャージ信号を書き込むプリチャージ動作を行い、
前記複数の走査信号線の走査方向が前記映像信号線と前記第２電流源との接続位置に近づく方向である場合には、前記走査方向が前記接続位置から遠ざかる方向である場合と比較して、前記プリチャージ信号をより大きくすることを特徴とする駆動方法。
【発明の詳細な説明】
【技術分野】
【０００１】
本発明は、表示装置及びその駆動方法に係り、特には、画素に映像信号として電流信号を供給するアクティブマトリクス型表示装置及びその駆動方法に関する。
【背景技術】
【０００２】
特許文献１には、カレントコピー型の回路を画素回路に採用したアクティブマトリクス型有機ＥＬ表示装置が記載されている。この表示装置では、各画素に映像信号として電流信号を供給し、有機ＥＬ素子を映像信号の大きさに対応した輝度で発光させる。
【０００３】
この表示装置を駆動する場合、通常、有効走査期間とブランキング期間（垂直ブランキング期間）とを交互に繰り返す。有効走査期間では、例えば、画素を行毎に順次選択し、選択した画素に映像信号を書き込む。各画素の有機ＥＬ素子は、有効走査期間のうち選択されていない期間とブランキング期間とにおいて、先の映像信号の大きさに対応した輝度で発光する筈である。ところが、実際には、有効走査期間において最初に選択する行の画素では、階調の再現性が不十分となることがある。
【０００４】
本発明者は、この問題は、以下の理由で生じることを見い出している。  
例えば、ラスタ表示を行う場合、最初に選択した行の画素への映像信号の書き込みを終了してから最後に選択する行への映像信号の書き込みを終了するまでの間、映像信号線の電位はほぼ一定である。そのため、これら画素は、ほぼ等しい輝度で発光する。
【０００５】
しかしながら、通常、ブランキング期間の直後における映像信号線の電位は、先の電位とは大きく異なっている。そのため、最初に選択した行が含む画素では、小さな映像信号を書き込む場合に、映像信号の書き込みが不十分になり易い。その結果、上述した輝度ムラを生ずることとなる。
【０００６】
ところで、有機ＥＬ表示装置は、設計が異なる複数の機器に搭載される可能性がある。これら機器における有機ＥＬ表示装置の使用形態は多種多様である。例えば、或る機器では走査方向を映像信号線ドライバから遠ざかる方向（以下、順方向という）とし、他の機器では走査方向を映像信号線ドライバに近づく方向（以下、逆方向という）とすることがある。また、同一の機器であっても、或る条件のもとで使用する場合には走査方向を順方向とし、他の条件のもとで使用する場合には走査方向を逆方向とすることがある。
【特許文献１】米国特許第６３７３４５４号明細書
【発明の開示】
【発明が解決しようとする課題】
【０００７】
本発明の目的は、画素に映像信号として電流信号を書き込む表示装置が、走査方向に依存することなく、有効走査期間において最初に選択する行の画素で、良好な表示ができるようにすることにある。
【課題を解決するための手段】
【０００８】
本発明の第１側面によると、映像信号線と、前記映像信号線と交差した複数の走査信号線と、映像信号を出力する第１電流源と、プリチャージ信号を出力する第２電流源と、前記映像信号線と前記複数の走査信号線との交差部に対応して配列し、第１電源端子に接続されると共に入力信号に対応した大きさの駆動電流を出力する駆動回路と、画素電極と第２電源端子に接続された対向電極とそれらの間に介在した活性層とを備えた表示素子とを各々が含んだ複数の画素とを具備し、各選択期間において、前記映像信号線を介して前記第１電流源と前記駆動回路とを接続して前記駆動回路に前記入力信号として前記映像信号を書き込む書込動作を行い、各非選択期間において、前記駆動回路と前記画素電極とを接続して前記駆動電流を前記表示素子に流す表示動作を行い、ブランキング期間において、前記第２電流源と前記映像信号線とを接続して前記映像信号線に前記プリチャージ信号を書き込むプリチャージ動作を行い、前記複数の走査信号線の走査方向が前記映像信号線と前記第２電流源との接続位置に近づく方向である場合には、前記走査方向が前記接続位置から遠ざかる方向である場合と比較して、前記プリチャージ信号をより大きくすることを特徴とする表示装置が提供される。
【０００９】
本発明の第２側面によると、映像信号線と、前記映像信号線と交差した複数の走査信号線と、映像信号を出力する第１電流源と、プリチャージ信号を出力する第２電流源と、前記映像信号線と前記複数の走査信号線との交差部に対応して配列し、第１電源端子に接続されると共に入力信号に対応した大きさの駆動電流を出力する駆動回路と、画素電極と第２電源端子に接続された対向電極とそれらの間に介在した活性層とを備えた表示素子とを各々が含んだ複数の画素とを具備した表示装置の駆動方法であって、各選択期間において、前記映像信号線を介して前記第１電流源と前記駆動回路とを接続して前記駆動回路に前記入力信号として前記映像信号を書き込む書込動作を行い、各非選択期間において、前記駆動回路と前記画素電極とを接続して前記駆動電流を前記表示素子に流す表示動作を行い、ブランキング期間において、前記第２電流源と前記映像信号線とを接続して前記映像信号線に前記プリチャージ信号を書き込むプリチャージ動作を行い、前記複数の走査信号線の走査方向が前記映像信号線と前記第２電流源との接続位置に近づく方向である場合には、前記走査方向が前記接続位置から遠ざかる方向である場合と比較して、前記プリチャージ信号をより大きくすることを特徴とする駆動方法が提供される。
【発明の効果】
【００１０】
本発明によると、画素に映像信号として電流信号を書き込む表示装置が、走査方向に依存することなく、有効走査期間において最初に選択する行の画素で、良好な表示ができるようになる。
【発明を実施するための最良の形態】
【００１１】
以下、本発明の態様について、図面を参照しながら詳細に説明する。なお、各図において、同様又は類似した機能を発揮する構成要素には同一の参照符号を付し、重複する説明は省略する。
【００１２】
図１は、本発明の第１態様に係る表示装置を概略的に示す平面図である。図２は、図１の表示装置に採用可能な構造の一例を概略的に示す部分断面図である。図３は、図１の表示装置の一部を示す等価回路図である。なお、図２では、表示装置を、その表示面，すなわち前面又は光出射面，が下方を向き、背面が上方を向くように描いている。
【００１３】
この表示装置は、アクティブマトリクス型駆動方式を採用した下面発光型の有機ＥＬ表示装置である。この表示装置は、走査方向を、順方向と逆方向との間で切り替え可能である。
【００１４】
図１の有機ＥＬ表示装置は、表示パネルＤＰと、映像信号線ドライバＸＤＲと、走査信号線ドライバＹＤＲと、図示しないコントローラとを含んでいる。
【００１５】
表示パネルＤＰは、例えば、ガラス基板などの絶縁基板ＳＵＢを含んでいる。基板ＳＵＢ上には、図２に示すように、アンダーコート層ＵＣとして、例えば、ＳｉＮx層とＳｉＯx層とが順次積層されている。
【００１６】
アンダーコート層ＵＣ上には、例えばチャネル及びソース・ドレインが形成されたポリシリコン層である半導体層ＳＣ、例えばＴＥＯＳ（tetraethyl orthosilicate）などを用いて形成され得るゲート絶縁膜ＧＩ、及び例えばＭｏＷなどからなるゲートＧが順次積層されており、それらはトップゲート型の薄膜トランジスタを構成している。この例では、これら薄膜トランジスタは、ｐチャネル薄膜トランジスタであり、図１及び図３に示す駆動制御素子ＤＲ及びスイッチＳＷａ乃至ＳＷｃとして利用している。
【００１７】
ゲート絶縁膜ＧＩ上には、図１及び図３に示すキャパシタＣの一方の電極と走査信号線ＳＬ１及びＳＬ２とがさらに配置されている。これらは、ゲートＧと同一の工程で形成可能である。
【００１８】
走査信号線ＳＬ１及びＳＬ２は、図１に示すように、各々が画素ＰＸの行方向（Ｘ方向）に延びており、画素ＰＸの列方向（Ｙ方向）に交互に配列している。これら走査信号線ＳＬ１及びＳＬ２は、走査信号線ドライバＹＤＲに接続されている。
【００１９】
ゲート絶縁膜ＧＩ、ゲートＧ、走査信号線ＳＬ１及びＳＬ２、並びにキャパシタＣの一方の電極は、図２に示す層間絶縁膜ＩＩで被覆されている。層間絶縁膜ＩＩは、例えばプラズマＣＶＤ法などにより成膜されたＳｉＯxなどからなる。この層間絶縁膜ＩＩの一部は、キャパシタＣの誘電体層として利用する。
【００２０】
層間絶縁膜ＩＩ上には、図１に示すキャパシタＣの他方の電極、図２に示すソース電極ＳＥ及びドレイン電極ＤＥ、並びに、図１に示す映像信号線ＤＬ及び電源線ＰＳＬが配置されている。これらは、同一工程で形成可能であり、例えば、Ｍｏ／Ａｌ／Ｍｏの三層構造を有している。
【００２１】
ソース電極ＳＥ及びドレイン電極ＤＥは、層間絶縁膜ＩＩに設けられたコンタクトホールを介して薄膜トランジスタのソース及びドレインに電気的に接続されている。
【００２２】
映像信号線ＤＬは、図１に示すように、各々がＹ方向に延びており、Ｘ方向に配列している。これら映像信号線ＤＬは、映像信号線ドライバＸＤＲに接続されている。  
電源線ＰＳＬは、この例では、各々がＹ方向に延びており、Ｘ方向に配列している。
【００２３】
ソース電極ＳＥ、ドレイン電極ＤＥ、映像信号線ＤＬ、電源線ＰＳＬ、及びキャパシタＣの他方の電極は、図２に示すパッシベーション膜ＰＳで被覆されている。パッシベーション膜ＰＳは、例えばＳｉＮxなどからなる。
【００２４】
パッシベーション膜ＰＳ上には、図２に示すように、前面電極として、光透過性の第１電極ＰＥが互いから離間して並置されている。各第１電極ＰＥは、画素電極であり、パッシベーション膜ＰＳに設けた貫通孔を介して、スイッチＳＷａのドレイン電極ＤＥに接続されている。
【００２５】
第１電極ＰＥは、この例では陽極である。第１電極ＰＥの材料としては、例えば、ＩＴＯ（indium tin oxide）のような透明導電性酸化物を使用することができる。
【００２６】
パッシベーション膜ＰＳ上には、さらに、図２に示す隔壁絶縁層ＰＩが配置されている。隔壁絶縁層ＰＩには、第１電極ＰＥに対応した位置に貫通孔が設けられているか、或いは、第１電極ＰＥが形成する列又は行に対応した位置にスリットが設けられている。ここでは、一例として、隔壁絶縁層ＰＩには、第１電極ＰＥに対応した位置に貫通孔が設けられていることとする。
【００２７】
隔壁絶縁層ＰＩは、例えば、有機絶縁層である。隔壁絶縁層ＰＩは、例えば、フォトリソグラフィ技術を用いて形成することができる。
【００２８】
第１電極ＰＥ上には、活性層として、発光層を含んだ有機物層ＯＲＧが配置されている。発光層は、例えば、発光色が赤色、緑色、又は青色のルミネセンス性有機化合物を含んだ薄膜である。この有機物層ＯＲＧは、発光層に加え、正孔注入層、正孔注入層、正孔ブロッキング層、電子輸送層、電子注入層などもさらに含むことができる。
【００２９】
隔壁絶縁層ＰＩ及び有機物層ＯＲＧは、第１電極に対向して配置された対向電極としての第２電極ＣＥで被覆されている。第２電極ＣＥは、画素ＰＸ間で互いに接続された共通電極であり、この例では背面電極として設けられた光反射性の陰極である。第２電極ＣＥは、例えば、パッシベーション膜ＰＳと隔壁絶縁層ＰＩとに設けられたコンタクトホールを介して、映像信号線ＤＬと同一の層上に形成された電極配線（図示せず）に電気的に接続されている。各々の有機ＥＬ素子ＯＬＥＤは、第１電極ＰＥ、有機物層ＯＲＧ及び第２電極ＣＥで構成されている。
【００３０】
絶縁基板ＳＵＢ上では、複数の画素ＰＸがマトリクス状に配列している。これら画素ＰＸは、映像信号線ＤＬと走査信号線ＳＬ１との交差部近傍に配置されている。
【００３１】
各画素ＰＸは、表示素子である有機ＥＬ素子ＯＬＥＤと、駆動回路と、出力制御スイッチＳＷａとを含んでいる。この例では、駆動回路は、図１及び図３に示すように、駆動制御素子ＤＲと、映像信号供給制御スイッチＳＷｂと、ダイオード接続スイッチＳＷｃと、キャパシタＣとを含んでいる。上記の通り、この例では、駆動制御素子ＤＲ及びスイッチＳＷａ乃至ＳＷｃは、ｐチャネル薄膜トランジスタである。スイッチＳＷｂ及びＳＷｃは、駆動制御素子ＤＲのドレインとゲートと映像信号線ＤＬとの接続を、それらが互いに接続された第１状態と、それらが互いから切断された第２状態との間で切り替えるスイッチ群を構成している。
【００３２】
駆動制御素子ＤＲと出力制御スイッチＳＷａと有機ＥＬ素子ＯＬＥＤとは、第１電源端子ＮＤ１と第２電源端子ＮＤ２との間で、この順に直列に接続されている。この例では、第１電源端子ＮＤ１は電源線ＰＳＬに接続された高電位電源端子であり、第２電源端子ＮＤ２は低電位電源端子である。
【００３３】
出力制御スイッチＳＷａのゲートは、走査信号線ＳＬ１に接続されている。映像信号供給制御スイッチＳＷｂは映像信号線ＤＬと駆動制御素子ＤＲのドレインとの間に接続されており、そのゲートは走査信号線ＳＬ２に接続されている。ダイオード接続スイッチＳＷｃは駆動制御素子ＤＲのドレインとゲートとの間に接続されており、そのゲートは走査信号線ＳＬ２に接続されている。
【００３４】
キャパシタＣは、定電位端子と駆動制御素子ＤＲのゲートとの間に接続されている。この例では、キャパシタＣは、第１電源端子ＮＤ１と駆動制御素子ＤＲのゲートとの間に接続されている。
【００３５】
表示パネルＤＰ上には、映像信号線ドライバＸＤＲが配置されている。映像信号線ドライバＸＤＲは、図３に示すように、映像信号線ＤＬ毎に、電流源ＣＳ１及びＣＳ２とスイッチＳＷcs及びＳＷvsとを含んでいる。さらに、映像信号線ドライバＸＤＲは、マルチプレクサＭＬＴと電圧源ＶＳと基準トランジスタＴＲrefと制御線ＣＬ１及びＣＬ２を含んでいる。
【００３６】
マルチプレクサＭＬＴは、クロック信号ＣＬＫ、スタート信号ＤＡＴＡ、シリアル信号としての映像信号ＤＡＴＡが入力される入力端子を含んでいる。さらに、マルチプレクサＭＬＴは、電流源ＣＳ１毎に複数の出力端子を含んでいる。マルチプレクサＭＬＴは、クロック信号ＣＬＫとスタート信号ＤＡＴＡとに基づいて、シリアル信号としての映像信号ＤＡＴＡをパラレル信号に変換し、これを各電流源ＣＳ１へと出力する。この例では、マルチプレクサＭＬＴは、映像信号を６ビットのディジタル信号として、各電流源ＣＳ１に出力する。
【００３７】
基準トランジスタＴＲrefは、この例ではｐチャネル電界効果トランジスタである。基準トランジスタＴＲrefのソースは抵抗素子Ｒを介して定電位端子ＮＤ１’に接続されており、そのドレインは接地線に接続されている。この表示装置の駆動時には、基準トランジスタＴＲrefのソース−ドレイン間に基準電流Ｉrefを流す。
【００３８】
電流源ＣＳ１は、映像信号線ドライバＸＤＲの出力端子，すなわち映像信号線ＤＬに接続された端子，と接地線との間に接続されている。電流源ＣＳ１は、マルチプレクサＭＬＴがパラレル信号として出力するディジタル信号をアナログ信号へと変換する。この例では、電流源ＣＳ１は、マルチプレクサＭＬＴが出力する６ビットのディジタル映像信号から、電流信号としてのアナログ映像信号を生成する。
【００３９】
電流源ＣＳ１は、複数の定電流源ＴＲdgtと複数のスイッチＳＷdgtとを含んでいる。定電流源ＴＲdgtとスイッチＳＷdgtとは、それぞれ、映像信号線ドライバＸＤＲの出力端子と接地線との間で直列に接続されている。この例では、電流源ＣＳ１は、６つの定電流源ＴＲdgtと６つのスイッチＳＷdgtとを含んでいる。また、この例では、定電流源ＴＲdgt及びスイッチＳＷdgtは、ｐチャネル電界効果トランジスタである。
【００４０】
定電流源ＴＲdgtのゲートは、それぞれ、基準トランジスタＴＲrefのゲートに接続されている。スイッチＳＷdgtのゲートは、それぞれ、マルチプレクサＭＬＴの出力端子に接続されている。
【００４１】
定電流源ＴＲdgtは、例えば、それらの１つが基準トランジスタＴＲrefと同一の構造を有しており、残りの５つがチャネル幅が異なること以外は基準トランジスタＴＲrefと同一の構造を有している。６つの定電流源ＴＲdgtは、それらに接続されているスイッチＳＷdgtが閉じている間、例えば、基準電流Ｉrefの１倍、２倍、４倍、８倍、１６倍、３２倍の大きさの定電流をそれぞれ出力する。
【００４２】
スイッチＳＷcsと電流源ＣＳ２とは、映像信号線ドライバＸＤＲの出力端子と接地線との間で、この順に直列に接続されている。
【００４３】
電流源ＣＳ２は、プリチャージ電流又はプリチャージ信号を電流信号として出力する定電流源である。電流源ＣＳ２のゲートは、基準トランジスタＴＲrefのゲートに接続されている。
【００４４】
スイッチＳＷcsは、この例では、ｐチャネル電界効果トランジスタである。スイッチＳＷcsのゲートは、制御線ＣＬ１に接続されている。制御線ＣＬ１には、後述する制御信号ＰＲＣが入力される。
【００４５】
スイッチＳＷvsと電圧源ＶＳとは、映像信号線ドライバＸＤＲの出力端子と接地線との間で、この順に直列に接続されている。
【００４６】
電圧源ＶＳは、リセット信号として定電圧を出力する。例えば、電圧源ＶＳは、映像信号が最低階調である場合に書込動作によって設定されるべき映像信号線ＤＬの電圧とほぼ等しいか又はそれよりも高い定電圧である。
【００４７】
スイッチＳＷvsは、この例では、ｐチャネル電界効果トランジスタである。スイッチＳＷvsのゲートは、制御線ＣＬ２に接続されている。制御線ＣＬ２には、例えば、ブランキング期間と有効走査期間との切り替わりにほぼ対応して信号レベルが変化する制御信号ＢＬＫが入力される。
【００４８】
表示パネルＤＰ上には、走査信号線ドライバＹＤＲがさらに配置されている。上記の通り、走査信号線ドライバＹＤＲには、走査信号線ＳＬ１及びＳＬ２が接続されている。
【００４９】
映像信号線ドライバＸＤＲ及び走査信号線ドライバＹＤＲには、図示しないコントローラが接続されている。
【００５０】
コントローラは、映像信号線ドライバＸＤＲに、クロック信号ＣＬＫ及びスタート信号ＤＡＴＡなどの制御信号を出力すると共に、シリアル信号としての映像信号ＤＡＴＡを出力する。さらに、コントローラは、走査信号線ドライバＹＤＲにクロック信号及び制御信号などの制御信号を出力する。走査方向の制御は、例えば、コントローラにより行うことができる。
【００５１】
この有機ＥＬ表示装置は、例えば、以下の方法により駆動する。  
図４は、図１乃至図３に示す表示装置の駆動方法の一例を概略的に示すタイミングチャートである。図４には、画素ＰＸがＭ個の行を形成している場合の駆動方法を描いており、横軸は時間を示し、縦軸は電位を示している。
【００５２】
図４において、「ＸＤＲ出力」のうち、「Ｉsigｍ」と表記した期間は映像信号線ドライバＸＤＲが映像信号線ＤＬに映像信号Ｉsigｍを出力する期間を示し、「Ｖrst」と表記した期間は映像信号線ドライバＸＤＲが映像信号線ＤＬにリセット信号Ｖrstを出力する期間を示し、「Ｉprc」と表記した期間は映像信号線ドライバＸＤＲが映像信号線ＤＬにプリチャージ電流Ｉprcを出力する期間を示している。また、図４において、「ＳＬ１電位」及び「ＳＬ２電位」で示す波形は走査信号線ＳＬ１及びＳＬ２の電位をそれぞれ示し、「ＣＬ１電位」及び「ＣＬ２電位」で示す波形は制御線ＣＬ１及びＣＬ２の電位をそれぞれ示している。なお、「ｍ行目」の「ｍ」は、映像信号線ドライバＸＤＲに最も近い行から順に付した番号である。
【００５３】
この駆動方法では、走査方向を順方向とし、有効走査期間とブランキング期間とを交互に繰り返す。有効走査期間では、スイッチＳＷvs及びＳＷcsは開いたままにしておき、画素ＰＸを行毎に選択する。各画素ＰＸの選択期間では書込動作を行い、非選択期間では表示動作を行う。
【００５４】
例えば、ｍ行目の画素を選択している期間（以下、ｍ行目選択期間という）では、まず、ｍ行目の画素ＰＸのスイッチＳＷａを開く。次いで、マルチプレクサＭＬＴから各電流源ＣＳ１に６ビットのディジタル映像信号を出力すると共に、ｍ行目の画素ＰＸのスイッチＳＷｂ及びＳＷｃを閉じる。
【００５５】
電流源ＣＳ１は、ディジタル映像信号をアナログ映像信号としての書込電流Ｉsigｍに変換する。この書込電流Ｉsigｍは、第１電源端子ＮＤ１から電流源ＣＳ１へと流れる。これにより、駆動制御素子ＤＲのゲート電位を、駆動制御素子ＤＲのソース−ドレイン間に書込電流Ｉsigｍが流れるときの値に設定する。
【００５６】
その後、スイッチＳＷｂ及びＳＷｃを開く。さらに、スイッチＳＷａを閉じることにより、ｍ行目選択期間を終了する。
【００５７】
スイッチＳＷａを閉じると、有機ＥＬ素子ＯＬＥＤには、書込電流Ｉsigｍに対応した大きさの駆動電流Ｉdrvｍが流れる。非選択期間では、スイッチＳＷａは閉じたままとする。したがって、各画素ＰＸの有機ＥＬ素子ＯＬＥＤは、その画素ＰＸが次に選択されるまで、駆動電流Ｉdrvｍの大きさに対応した輝度で発光し続ける。
【００５８】
ブランキング期間では、以下のリセット動作とプリチャージ動作とを順次行う。なお、ブランキング期間では、全ての画素ＰＸで、スイッチＳＷｂ及びＳＷｃは開いたままとしておく。
【００５９】
すなわち、まず、全てのスイッチＳＷdgtを開く。次いで、スイッチＳＷvsを閉じて、電圧源ＶＳから映像信号線ＤＬにリセット信号を出力する。すなわち、映像信号線ＤＬの電位をリセット電位Ｖrstに設定する。その後、スイッチＳＷvsを開く。これにより、リセット動作を完了する。
【００６０】
次に、映像信号線ＤＬにプリチャージ信号を書き込むプリチャージ動作を行う。すなわち、スイッチＳＷcsを一定時間Ｔだけ閉じて、映像信号線ＤＬから電流源ＣＳ２へと定電流であるプリチャージ電流Ｉprcを流す。このプリチャージ動作により、映像信号線ＤＬの電位は、リセット電位Ｖrstから電流Ｉprcと時間Ｔとの積Ｉprc×Ｔに対応した大きさだけ低くなる。
【００６１】
ところで、この表示装置の映像信号線ドライバＸＤＲが電圧源ＶＳと電流源ＣＳ２とスイッチＳＷvs及びＳＷcsとを含んでいないとすると、ブランキング期間において、映像信号線ＤＬは浮動状態にあると考えることができる。しかしながら、実際には、映像信号線ＤＬに接続した保護回路（図示せず）などに流れるリーク電流に起因して、ブランキング期間を開始してから終了するまでの間に、映像信号線ＤＬの電位が変動することがある。例えば、ブランキング期間を終了した時点における映像信号線ＤＬの電位が、書込動作によって設定されるべき映像信号線ＤＬの電位の最低値よりもさらに低くなることがある。
【００６２】
この場合、１行目の画素ＰＸで低階調域内の階調を表示するには、１行目選択期間の書込動作により、映像信号線ＤＬの電位を大幅に高めなければならない。しかしながら、低階調域内の階調を表示するときの書込電流Ｉsig１は小さいため、１行目選択期間内に映像信号線ＤＬの電位を十分に変化させることは難しい。そのため、１行目の画素ＰＸでは、駆動制御素子ＤＲのゲート電位を書込電流Ｉsig１に対応した値に正確に設定できず、低階調域内の各階調を高い再現性で表示することが難しい。
【００６３】
これに対し、ブランキング期間において図１乃至図４を参照しながら説明したリセット動作を行うと、映像信号線ＤＬの電位をリセット電位Ｖrstとほぼ等しくすることができる。そして、リセット動作に続いてプリチャージ動作を行うことにより、１行目の画素ＰＸへの書込動作を開始する直前における映像信号線ＤＬの電位を、電位Ｖrst−（Ｉprt×ｔ）／ＣDLとほぼ等しくすることができる。なお、ＣDLは映像信号線ＤＬの配線容量である。
【００６４】
したがって、プリチャージ電流Ｉprcと時間Ｔとを適宜設定することにより、１行目の画素ＰＸで低階調域内の階調を表示するために必要な映像信号線ＤＬの電位変動量を著しく小さくすることができる。それゆえ、有効走査期間において最初に選択する行の画素ＰＸで、低階調域内の各階調を高い再現性で表示することが可能となる。
【００６５】
さて、走査方向を順方向とした場合には、上述した方法で駆動することにより、有効走査期間において最初に選択する行の画素ＰＸで、低階調域内の各階調を高い再現性で表示することができる。しかしながら、同様の条件のもとで走査方向を逆方向とすると、有効走査期間において最初に選択する行の画素ＰＸで、低階調域内の各階調を高い再現性で表示することができない可能性がある。これは、映像信号線ＤＬのうち、映像信号線ドライバＸＤＲから遠い部分では、映像信号線ドライバＸＤＲに近い部分と比較して、プリチャージ動作を完了した直後における電位がより高いためである。そこで、本態様では、走査方向を逆方向とする場合には、例えば、以下の駆動方法を採用する。
【００６６】
図５は、図１乃至図３に示す表示装置の駆動方法の他の例を概略的に示すタイミングチャートである。図５には、画素ＰＸがＭ個の行を形成している場合の駆動方法を描いており、横軸は時間を示し、縦軸は電位を示している。
【００６７】
図５において、「ＸＤＲ出力」のうち、「Ｉsigｍ」と表記した期間は映像信号線ドライバＸＤＲが映像信号線ＤＬに映像信号Ｉsigｍを出力する期間を示し、「Ｖrst」と表記した期間は映像信号線ドライバＸＤＲが映像信号線ＤＬにリセット信号Ｖrstを出力する期間を示し、「Ｉprc」と表記した期間は映像信号線ドライバＸＤＲが映像信号線ＤＬにプリチャージ電流Ｉprcを出力する期間を示している。また、図５において、「ＳＬ１電位」及び「ＳＬ２電位」で示す波形は走査信号線ＳＬ１及びＳＬ２の電位をそれぞれ示し、「ＣＬ１電位」及び「ＣＬ２電位」で示す波形は制御線ＣＬ１及びＣＬ２の電位をそれぞれ示している。なお、「ｍ行目」の「ｍ」は、映像信号線ドライバＸＤＲに最も近い行から順に付した番号である。
【００６８】
この駆動方法は、走査方向を逆方向とし且つ時間Ｔをより長くすること以外は、図４を参照しながら説明した駆動方法と同様である。時間Ｔをより長くすると、プリチャージ動作を完了した直後における映像信号線ＤＬの電位が低くなる。したがって、時間Ｔを適宜設定すれば、有効走査期間において最初に選択する行の画素ＰＸで、低階調域内の各階調を高い再現性で表示することができる。
【００６９】
このように、本態様によると、走査方向を順方向とした場合と逆方向とした場合との双方で、有効走査期間において最初に選択する行の画素ＰＸで低階調域内の各階調を高い再現性で表示することができる。すなわち、本態様によると、走査方向に依存することなく、有効走査期間において最初に選択する行の画素で良好な表示が可能となる。
【００７０】
次に、本発明の第２態様について説明する。  
図６は、本発明の第２態様に係る表示装置の一部を示す等価回路図である。第２態様は、映像信号線ドライバＸＤＲに図６の構造を採用すると共に、後述する駆動方法を採用する。これ以外は、第２態様は、第１態様とほぼ同様である。
【００７１】
図６の映像信号線ドライバＸＤＲは、図３の映像信号線ドライバＸＤＲとは、以下の点で異なっている。すなわち、図６の映像信号線ドライバＸＤＲは、電流源ＣＳ２及びスイッチＳＷcsの代わりに、電流源ＣＳ２Ｆ及びＣＳ２Ｒ並びにスイッチＳＷcsＦ及びＳＷcsＲを含んでいる。電流源ＣＳ２Ｆ及びＣＳ２Ｒは、大きさが互いに異なる第１及び第２プリチャージ電流を出力する電流源を構成している。また、図６の映像信号線ドライバＸＤＲは、制御線ＣＬ１の代わりに、制御線ＣＬ１Ｆ及びＣＬ１Ｒを含んでいる。
【００７２】
スイッチＳＷcsＦと電流源ＣＳ２Ｆとは、映像信号線ドライバＸＤＲの出力端子と接地線との間で、この順に直列に接続されている。
【００７３】
電流源ＣＳ２Ｆは、第１プリチャージ電流又は第１プリチャージ信号を電流信号として出力する定電流源である。電流源ＣＳ２Ｆのゲートは、基準トランジスタＴＲrefのゲートに接続されている。
【００７４】
スイッチＳＷcsＦは、この例では、ｐチャネル電界効果トランジスタである。スイッチＳＷcsＦのゲートは、制御線ＣＬ１Ｆに接続されている。制御線ＣＬ１Ｆには、後述する制御信号ＰＲＣ１が入力される。
【００７５】
スイッチＳＷcsＲと電流源ＣＳ２Ｒとは、映像信号線ドライバＸＤＲの出力端子と接地線との間で、この順に直列に接続されている。
【００７６】
電流源ＣＳ２Ｒは、第２プリチャージ電流又は第２プリチャージ信号を電流信号として出力する定電流源である。この電流源ＣＳ２Ｒは、電流源ＣＳ２Ｆと比較してより大きな定電流を出力する。電流源ＣＳ２Ｒのゲートは、基準トランジスタＴＲrefのゲートに接続されている。
【００７７】
スイッチＳＷcsＲは、この例では、ｐチャネル電界効果トランジスタである。スイッチＳＷcsＲのゲートは、制御線ＣＬ１Ｒに接続されている。制御線ＣＬ１Ｒには、後述する制御信号ＰＲＣ２が入力される。
【００７８】
第２態様に係る表示装置は、例えば、以下の方法で駆動する。  
図７は、本発明の第２態様に係る表示装置の駆動方法の一例を概略的に示すタイミングチャートである。図８は、本発明の第２態様に係る表示装置の駆動方法の他の例を概略的に示すタイミングチャートである。図７及び図８には、画素ＰＸがＭ個の行を形成している場合の駆動方法を描いており、横軸は時間を示し、縦軸は電位を示している。
【００７９】
図７及び図８において、「ＸＤＲ出力」のうち、「Ｉsigｍ」と表記した期間は映像信号線ドライバＸＤＲが映像信号線ＤＬに映像信号Ｉsigｍを出力する期間を示し、「Ｖrst」と表記した期間は映像信号線ドライバＸＤＲが映像信号線ＤＬにリセット信号Ｖrstを出力する期間を示し、「Ｉprc1」と表記した期間は映像信号線ドライバＸＤＲが映像信号線ＤＬに第１プリチャージ電流Ｉprc1を出力する期間を示し、「Ｉprc2」と表記した期間は映像信号線ドライバＸＤＲが映像信号線ＤＬに第２プリチャージ電流Ｉprc2を出力する期間を示している。また、図７及び図８において、「ＳＬ１電位」及び「ＳＬ２電位」で示す波形は走査信号線ＳＬ１及びＳＬ２の電位をそれぞれ示し、「ＣＬ１Ｆ電位」及び「ＣＬ１Ｒ電位」で示す波形は制御線ＣＬ１Ｆ及びＣＬ１Ｒの電位をそれぞれ示し、「ＣＬ２電位」で示す波形は制御線ＣＬ２の電位を示している。なお、「ｍ行目」の「ｍ」は、映像信号線ドライバＸＤＲに最も近い行から順に付した番号である。
【００８０】
図７の駆動方法では、走査方向を順方向としている。この駆動方法は、以下の点を除き、図４を参照しながら説明した駆動方法と同様である。すなわち、図７の駆動方法では、スイッチＳＷcsＦのスイッチング動作を、図４を参照しながら説明したスイッチＳＷcsのスイッチング動作と同様のタイミングで行う。そして、図７の駆動方法では、スイッチＳＷcsＲは、有効走査期間及びブランキング期間の双方において開いたままとする。
【００８１】
図８の駆動方法では、走査方向を逆方向としている。この駆動方法は、以下の点を除き、図４を参照しながら説明した駆動方法と同様である。すなわち、図８の駆動方法では、スイッチＳＷcsＲのスイッチング動作を、図４を参照しながら説明したスイッチＳＷcsのスイッチング動作と同様のタイミングで行う。そして、図８の駆動方法では、スイッチＳＷcsＦは、有効走査期間及びブランキング期間の双方において開いたままとする。
【００８２】
本態様では、走査方向を順方向とした場合にスイッチＳＷcsＦを閉じている時間Ｔ１と、走査方向を逆方向とした場合にスイッチＳＷcsＲを閉じている時間Ｔ２とを同一とする。そして、走査方向を逆方向とした場合に映像信号線ＤＬから電流源ＣＳ２へと流す第２プリチャージ電流Ｉprc2を、走査方向を順方向とした場合に映像信号線ＤＬから電流源ＣＳ２へと流す第１プリチャージ電流Ｉprc1と比較してより大きくする。すなわち、第１態様と同様、走査方向が逆方向である場合のプリチャージ信号を、走査方向が順方向である場合のプリチャージ信号と比較してより大きくする。したがって、プリチャージ電流Ｉprc1及びＩprc2を適宜設定すれば、有効走査期間において最初に選択する行の画素ＰＸで、低階調域内の各階調を高い再現性で表示することができる。
【００８３】
このように、本態様によると、走査方向を順方向とした場合と逆方向とした場合との双方で、有効走査期間において最初に選択する行の画素ＰＸで低階調域内の各階調を高い再現性で表示することができる。すなわち、本態様によると、走査方向に依存することなく、有効走査期間において最初に選択する行の画素で良好な表示が可能となる。
【００８４】
本態様において、時間Ｔ１は時間Ｔ２とは異なっていてもよい。例えば、時間Ｔ２は、時間Ｔ１と比較してより長くてもよい。すなわち、第２態様に係る技術には、第１態様に係る技術を組み合わせることができる。
【００８５】
第１及び第２本態様では、画素ＰＸに図１、図３及び図６の構造を採用したが、画素ＰＸには他の構造を採用することも可能である。例えば、ダイオード接続スイッチＳＷｃは、駆動制御素子ＤＲのドレインとゲートとの間に接続する代わりに、駆動制御素子ＤＲのゲートと映像信号線ＤＬとの間に接続してもよい。或いは、映像信号供給制御スイッチＳＷｂは、駆動制御素子ＤＲのドレインと映像信号線ＤＬとの間に接続する代わりに、駆動制御素子ＤＲのゲートと映像信号線ＤＬとの間に接続してもよい。
【図面の簡単な説明】
【００８６】
【図１】本発明の第１態様に係る表示装置を概略的に示す平面図。
【図２】図１の表示装置に採用可能な構造の一例を概略的に示す部分断面図。
【図３】図１の表示装置の一部を示す等価回路図。
【図４】図１乃至図３に示す表示装置の駆動方法の一例を概略的に示すタイミングチャート。
【図５】図１乃至図３に示す表示装置の駆動方法の他の例を概略的に示すタイミングチャート。
【図６】本発明の第２態様に係る表示装置の一部を示す等価回路図。
【図７】本発明の第２態様に係る表示装置の駆動方法の一例を概略的に示すタイミングチャート。
【図８】本発明の第２態様に係る表示装置の駆動方法の他の例を概略的に示すタイミングチャート。
【符号の説明】
【００８７】
Ｃ…キャパシタ、ＣＥ…対向電極、ＣＬ１…制御線、ＣＬ１Ｆ…制御線、ＣＬ１Ｒ…制御線、ＣＬ２…制御線、ＣＳ１…電流源、ＣＳ２…電流源、ＣＳ２Ｆ…電流源、ＣＳ２Ｒ…電流源、ＤＥ…ドレイン電極、ＤＬ…映像信号線、ＤＰ…表示パネル、ＤＲ…駆動制御素子、Ｇ…ゲート、ＧＩ…ゲート絶縁膜、ＩＩ…層間絶縁膜、ＭＬＴ…マルチプレクサ、ＮＤ１…電源端子、ＮＤ１’…定電位端子、ＮＤ２…電源端子、ＯＬＥＤ…有機ＥＬ素子、ＯＲＧ…有機物層、ＰＥ…画素電極、ＰＩ…隔壁絶縁層、ＰＳ…パッシベーション膜、ＰＳＬ…電源線、ＰＸ…画素、Ｒ…抵抗素子、ＳＣ…半導体層、ＳＥ…ソース電極、ＳＬ１…走査信号線、ＳＬ２…走査信号線、ＳＵＢ…絶縁基板、ＳＷａ…スイッチ、ＳＷｂ…スイッチ、ＳＷｃ…スイッチ、ＳＷcs…スイッチ、ＳＷcsＦ…スイッチ、ＳＷcsＲ…スイッチ、ＳＷdgt…スイッチ、ＳＷvs…スイッチ、ＴＲdgt…定電流源、ＴＲref…基準トランジスタ、ＵＣ…アンダーコート層、ＶＳ…電圧源、ＸＤＲ…映像信号線ドライバ、ＹＤＲ…走査信号線ドライバ。
【図１】
2007114288.tif 000003
【図２】
2007114288.tif 000004
【図３】
2007114288.tif 000005
【図４】
2007114288.tif 000006
【図５】
2007114288.tif 000007
【図６】
2007114288.tif 000008
【図７】
2007114288.tif 000009
【図８】
2007114288.tif 000010